(57)【特許請求の範囲】
【請求項１】
インストルメントパネルの下部に回動可能に取り付けたバケットタイプのボックス本体を手前側に倒伏回動させることにより、ボックス本体が形成する収納空間をその上端開口を介して車室に連通させて物品の出し入れを行なうようにしたグローブボックスにおいて、ボックス本体の格納状態において該ボックス本体が形成する収納空間を上下に分割する棚板をボックス本体とは分離してインストルメントパネル側に設け、該棚板を奥部棚板と前部棚板に分割形成して奥部棚板の前縁に前部棚板の後縁を起伏回動可能に結合するとともに、奥部棚板の上方に形成された収納空間の前部開口を閉鎖する起立位置に前部棚板を係脱可能に係止する係止手段を設けたことを特徴とするグローブボックス。
【請求項２】
ボックス本体を手前側に倒伏回動させた状態でのボックス本体の後壁の上端位置の近傍に前部棚板の回動中心を設定したことを特徴とする請求項１に記載のグローブボックス。
【発明の詳細な説明】
【０００１】
【発明の属する技術分野】
本発明はインストルメントパネルの下部に形成されるグローブボックスに関するものである。
【０００２】
【従来の技術】
自動車の前席前方に位置するインストルメントパネルには、車検証あるいは各種の小物類を収納するためのグローブボックスを設けることが多い。また、この種グローブボックスとしては、インストルメントパネルの下部に回動可能に取り付けたバケットタイプのボックス本体を手前側に倒伏回動させることにより、ボックス本体が形成する収納空間をその上端開口を介して車室に連通させて小物類の出し入れ操作性を高くしたものがある。
【０００３】
また、グローブボックス本体で形成される収納空間を上下に分割して出し入れ頻度の高い小物類と出し入れ頻度が低い車検証などの収納空間を仕切ることでグローブボックスの使用性が大幅に高くなるが、この場合は大きな物品の収納が困難になってしまうという不具合がある。
【０００４】
【発明が解決しようとする課題】
本発明は上記実情に鑑みてなされたものであって、収納空間を上下に二分して使用性を改善しつつ、必要に応じて大きなものをも収納することができる可変容量タイプのグローブボックスを提供することを課題としている。
【０００５】
【課題を解決するための手段】
上記課題を解決するために本発明は、インストルメントパネルの下部に回動可能に取り付けたバケットタイプのボックス本体を手前側に倒伏回動させることにより、ボックス本体が形成する収納空間をその上端開口を介して車室に連通させて物品の出し入れを行なうようにしたグローブボックスにおいて、ボックス本体の格納状態において該ボックス本体が形成する収納空間を上下に分割する棚板をボックス本体とは分離してインストルメントパネル側に設けている。
【０００６】
そして、前記棚板を奥部棚板と前部棚板に分割形成して奥部棚板の前縁に前部棚板の後縁を起伏回動可能に結合するとともに、奥部棚板の上方に形成された収納空間の前部開口を閉鎖する起立位置に前部棚板を係脱可能に係止する係止手段を設けたことを特徴としている。なお、ボックス本体を手前側に倒伏回動させた状態でのボックス本体の後壁の上端位置の近傍に前部棚板の回動中心を設定することが望ましい。
【０００７】
【発明の実施の形態】
以下に本発明の実施形態を図に基づいて詳細に説明する。図１は本発明に係るグローブボックスの一実施形態を示すの断面図、図２は収納空間を上下に二分する形成する棚板の斜視図である。
【０００８】
これらの図において、図示しないインストルメントパネルの下部にバケットタイプのボックス本体１を回動可能に取り付けることにより、該ボックス本体１を図１に二点鎖線で示したように手前側に倒伏回動させてボックス本体１が形成する収納空間２をその上端開口を介して車室に連通させて物品の出し入れを行なうようにしている。３はボックス本体１の回動支点である。
【０００９】
前記ボックス本体１の上方には手前側を開口部とするインナボックス４を取り付け、このインナボックス４の底壁５を棚板として機能させることにより、ボックス本体１が形成する収納空間２をインナボックス４の底壁５より下方の下部収納空間２ａとインナボックス４の底壁５より上方の上部収納空間２ｂに隔成している。
【００１０】
このように収納空間２を下部収納空間２ａと上部収納空間２ｂに隔成する棚板として機能するインナボックス４の底壁５を、車幅方向に沿う分割線に沿って奥部棚板５ａと前部棚板５ｂに分割している。そして、前部棚板５ｂの後縁を奥部棚板５ａの前縁にヒンジ６を介して起伏回動可能に結合することにより、このヒンジ６を中心として前部棚板５ｂを実線で示す倒伏位置と二点鎖線で示す起立位置とに切換移動させることができるようにしている。
【００１１】
また、前部棚板５ｂの前縁中央部に係合爪７を設ける一方、インナボックス４の上壁の前縁部分に係合孔７ａを設けることにより、係合爪７を係合孔７ａに弾圧係合させることで前部棚板５ｂを起立位置に係止させることができるようにしている。
【００１２】
上記前部棚板５ｂは、倒伏位置においては奥部棚板５ａの延長線上に位置して該奥部棚板５ａとともにボックス本体１による収納空間２を上下に分割するが、二点鎖線で示す起立位置においては、奥部棚板５ａの上方に形成された収納空間の前部開口を閉鎖すると同時に、前部棚板５ｂの上方に形成されていた収納空間をボックス本体１側の収納空間と連続させる。
【００１３】
従って、前部棚板５ｂを図１に実線で示したように手前側に倒伏回動させた状態と同図に二点鎖線で示した起立位置に回動させて奥部棚板５ａの上方に形成された収納空間の前部開口を閉じた状態では、上部収納空間２ｂと下部収納空間２ａの容積がそれぞれ変わるために、前部棚板５ｂの状態によって棚板の上方の空間と下方の空間の使い勝手を変化させることができる。
【００１４】
また、棚板５ａ、５ｂは、ボックス本体１とは分離した状態でインストルメントパネル側に設けられている。このために、ボックス本体１の開閉回動に関係なく棚板５ａ、５ｂの位置（方向）が変化しないために、上部収納空間２ｂによる収納物の保持性能が損なわれることもない。
【００１５】
一方、前部棚板５ｂを図１に二点鎖線で示したように起立回動させて奥部棚板５ａの上方に形成された収納空間の前部開口を閉じると、前部棚板５ｂにより形成されていた収納空間が下部収納空間２ａに統合される。従ってこの状態では、上部収納空間２ｂの容積が減少するものの、下部収納空間２ａの容積が増大するために、大きな物品の収納性が高くなる。
【００１６】
さらに、実施形態においては前部棚板５ｂの回動中心を構成するヒンジ６を、ボックス本体１を手前側に倒伏回動させた状態でのボックス本体１の後壁１ａの上端位置の近傍に位置させている。このために、実施形態の場合はボックス本体１を手前側に倒伏回動させた状態では、下部収納空間２ａの奥部上端が前部棚板５ｂの後縁部分に極めて接近する。従って、前部棚板５ｂを起立回動させていれば、棚板５ａ、５ｂに引っ掛けることなく下部収納空間２ａに収納した物品をスムーズに取り出すことができる利点がある。
【００１７】
なお、ボックス本体１の回動支点３、前部棚板５ｂを起伏回動可能に支持するヒンジ６及び前部棚板５ｂの係止手段などは、従来公知の任意のものを用いることができる。また、奥部棚板５ａおよび前部棚板５ｂは必ずしもインナボックス４の底壁５である必要性はなく、ボックス本体１と分離してインストルメントパネル側に設けた独立した棚板であってもよい。
【００１８】
【発明の効果】
以上の説明から明らかなように本発明は、インストルメントパネルの下部に回動可能に取り付けたバケットタイプのボックス本体がその格納状態において形成する収納空間を上下に分割する棚板をボックス本体とは分離してインストルメントパネル側に設けたうえで、この棚板を奥部棚板と前部棚板に分割形成して前部棚板の後縁を奥部棚板の前縁に起伏回動可能に結合する一方、奥部棚板の上方に形成された収納空間の前部開口を閉鎖する起立位置に前部棚板を係脱可能に係止する係止手段を設けたものであるから、必要に応じて前部棚板を起伏回動させて上部収納空間および下部収納空間の容積比を変更することができるために、グローブボックスの使用性が高くなる。また、ボックス本体とは分離した状態でインストルメントパネル側に棚板を設けたものであるから、ボックス本体の位置に関係なく棚板の位置が変化しないために、ボックス本体の開閉操作にともなって上部収納空間の収納物保持性能が損なわれることもない。
【図面の簡単な説明】
【図１】本発明に係るグローブボックスの一実施形態を示すの断面図である。
【図２】収納空間を上下に二分する形成する棚板の具体構成を示す斜視図である。
【符号の説明】
１    ボックス本体
２    収納空間
２ａ    下部収納空間
２ｂ    上部収納空間
３    回動支点
４    インナボックス
５    底壁
５ａ    奥部棚板
５ｂ    前部棚板
６    ヒンジ
７    係合爪
７ａ    係合孔
【図１】
0004073728.tif 000002
【図２】
0004073728.tif 000003